(57)【要約】【課題】安価であって家庭に常備でき、喉に詰まった物を発見して吸引するための装置を提供する。【解決手段】この装置は、電気掃除機１に取り付けて使用するアダプター３である。電気掃除機１の吸引部に接合され連通する筒状の接合部５に、筒状の挿入部分２１が連通し、喉に挿入される。この挿入部分２１の先端に、ファイバースコープの先端部２３が取り付けられる。この先端部から対物レンズを介して取り込まれた喉奥の画像は、ファイバーケーブル２５を通り、接眼レンズが設けられたゴーグル３５を被った人によって観察される。喉に詰まった物を発見した後に、電気掃除機１を働かせば、挿入部分２１の先端に、的確に吸引できる。【選択図】図１
0003143719.tif 000002
【実用新案登録請求の範囲】
【請求項１】
電気掃除機に取り付けて喉に詰まった物を発見して吸引するためのアダプターであって、前記電気掃除機の吸引部に接合され連通する筒状の接合部と、この接合部に連通し喉に挿入される筒状の挿入部分と、この挿入部分の先端に取り付けられるファイバースコープの先端部と、このファイバースコープの画像を観察できる観察手段と、を有することを特徴とする電気掃除機用吸引救命アダプター。
【請求項２】
前記観察手段は、前記ファイバースコープの画像を直接に観察するための接眼レンズが設けられたゴーグルであり、前記ファイバースコープのファイバーケーブルは、前記筒状の挿入部分の内側に配置されることを特徴とする請求項１に記載の電気掃除機用吸引救命アダプター。 
【考案の詳細な説明】
【技術分野】
【０００１】
この考案は、電気掃除機に取り付けて喉に詰まった物を発見して吸引するためのアダプターの構造に関する。
【背景技術】
【０００２】
例えば、子供や高齢者が喉に、食べ物などを詰まらせたときは、迅速に、詰まらせた物を取り除かないと、命にかかわる事故になる。
家庭において従来は、背中を叩いたり、乳幼児の場合には、足をつかんでさかさまにしたりして、詰まらせた物を吐き出させる以外に方法がなかった。
【０００３】
下記の特許文献１では、細胞組織採取を行うための特殊な内視鏡に吸引手段が設けられているものが記載される。
また、下記の特許文献２には、痰の吸引に家庭の掃除機を利用する装置が記載される。
【特許文献１】特開2005-304650
【特許文献２】実開平07-028512
【考案の開示】
【考案が解決しようとする課題】
【０００４】
しかしながら、家庭に常備する装置としては、特許文献１のように吸引手段が設けられている内視鏡は、高価であり、常備することは非現実的である。
特許文献１の装置は、家庭の掃除機を利用し、安価ではあるが、詰まらせた物を発見する手段が無い。
この考案は、以上の問題点を解決するために、安価であって家庭に常備でき、喉に詰まった物を発見して吸引するための装置を提供することを目的とする。
【課題を解決するための手段】
【０００５】
以上の課題を解決するために、第一考案は、電気掃除機に取り付けて喉に詰まった物を発見して吸引するためのアダプターであって、前記電気掃除機の吸引部に接合され連通する筒状の接合部と、この接合部に連通し喉に挿入される筒状の挿入部分と、この挿入部分の先端に取り付けられるファイバースコープの先端部と、このファイバースコープの画像を観察できる観察手段と、を有することを特徴とする電気掃除機用吸引救命アダプターである。
【０００６】
第二考案は、さらに、前記観察手段は、前記ファイバースコープの画像を直接に観察するための接眼レンズが設けられたゴーグルであり、前記ファイバースコープのファイバーケーブルは、前記筒状の挿入部分の内側に配置されることを特徴とする電気掃除機用吸引救命アダプターである。
【考案の効果】
【０００７】
第一、又は第二考案によれば、電気掃除機にアダプターを接合し、このアダプターの挿入部分を喉に挿入し、この挿入部分の先端に取り付けられるファイバースコープの先端部から取り込まれた画像を観察し、喉に詰まった物を発見した後に、電気掃除機を働かせば、挿入部分の先端に、的確に吸引できる。
【０００８】
このアダプターは、比較的安価に供給されているファイバースコープを組み込んで構成でき、家庭に存在する電気掃除機の吸引力を利用するので、全体として安価であり、よって、家庭に常備できる。
第二考案によれば、観察手段は、ファイバースコープの画像を直接に観察するための接眼レンズが設けられたゴーグルであることから、両手が開いて、救命活動が容易におこなわれる。
さらに、ファイバースコープのファイバーケーブルは、筒状の挿入部分の内側に配置されるので、ファイバーケーブルと挿入部分が別々の場合に比べ、操作が楽であり、また、喉を詰まらせた人の負担が少ない。
【考案を実施するための最良の形態】
【０００９】
この考案の実施形態を、図１及び図２に示す。
図１に示すように、この実施形態に係る装置は、電気掃除機１に取り付けて使用するアダプター３である。
図２に示すように、このアダプター３は、後端の円筒状の接合部５が、電気掃除機１の吸引部に接合される。すなわち、円筒状の接合部５は、円筒の径が後端ほど小さくなるテーパー状をなし、電気掃除機１の柄７のパイプの継ぎ手部分９に挿入される。各電機メーカーの電気掃除機１に対応できるように、テーパー状は十分に長く形成される。
【００１０】
図１に示すように、掃除機は、通常、家庭の電源によって回転する図示しないファンを内蔵する本体１１に、このファンによって発生した負圧を導く蛇腹状のホース１３が、接続する。さらに、この蛇腹状のホース１３にはパイプ状の柄７が接続する。この柄７の先端には、下面に吸込み口を有するヘッド１５が接続する。柄７を構成するパイプは、その長さを調整するために複数に分割され、継ぎ手部分９を有する。
【００１１】
接合部５は、パイプの継ぎ手部分９のほか、柄７のヘッド１５の接続部分、本体１１のホース１３の接続部分にも、接合できものとできる。
そして、アダプター３の筒状の接合部５は、アダプター３の蛇腹状のホース１７に接続し、さらに、アダプター本体１９に連続する。アダプター本体１９の先端には、径の小さな円筒状の挿入部分２１が設けられる。この挿入部分２１が、喉に挿入される。アダプター本体１９から挿入部分２１にかけては湾曲し、徐々に径が小さく絞られ、喉に入り易い形状になっている。
【００１２】
この挿入部分２１の先端に、すなわち小さな円筒状の内側に、ファイバースコープの先端部２３が取り付けられる。すなわち、このファイバースコープの先端部２３には、図示しないが、画像の光を取り込む対物レンズ、高輝度白色のＬＥＤが照明手段として備えられる。
この先端部２３に連続して、取り込まれた画像を送るファイバーケーブル２５やＬＥＤへの電源を供給する電源線２７が設けられ、挿入部分２１およびアダプター本体１９の内部の連通部を通る。電源線２７の途中には、手元スイッチ２９が設けられ、アダプター本体１９の表面に露出し、アダプター本体１９を操作しながら、照明のＯＮ／ＯＦＦなどをおこなうことができる。
【００１３】
そして、アダプター本体１９の後部において、これらのファイバーケーブル２５や電源線２７は、分岐し、外部に長く延びる。このうち電源線２７は、電源バッテリーを有する操作ボックス３１に接続する。操作ボックス３１には、照明のＯＮ／ＯＦＦなどをおこなうスイッチ３３が設けられる。
ファイバーケーブル２５は、長く延びて、図示しないが、後端に接眼レンズが設けられ、ゴーグル３５の一方のグラスに接続される。
この実施形態に係るアダプター３に組み込まれるファイバースコープの例としては、例えば、有限会社近藤研究所の「高輝度ＬＥＤピンポイントスコープ」ＮＯ．ＫＦ−０００１などが挙げられる。
【００１４】
「実施形態の効果」
この実施形態によれば、例えば物を喉に詰まらせた子供の親は、このアダプター３のゴーグル３５を頭に被り、電気掃除機１の柄７のパイプの継ぎ手部分９に、アダプター３の接合部５を挿入して接合する。そして、このアダプター３の挿入部分２１を、物を詰まらせた子供の喉に挿入する。この挿入部分２１の先端に取り付けられるＬＥＤが、子供の喉奥を照明し、親は、ファイバースコープの先端部２３から取り込まれた画像を、被ったゴーグル３５で観察する。そのようにして喉に詰まった物を発見した後に、その物へ挿入部分２１の先端を近づけ、電気掃除機１を働かせば、挿入部分２１の先端に、物は的確に吸引できる。
【００１５】
このアダプター３は、比較的安価に供給されているファイバースコープを組み込んで構成でき、家庭に存在する電気掃除機１の吸引力を利用するので、全体として安価であり、よって、家庭に常備できる。
また、ファイバースコープの画像を、頭に被ったゴーグル３５で観察することから、親は、両手が開いて、救命活動が容易におこなわれる。
さらに、ファイバースコープのファイバーケーブル２５は、筒状の挿入部分２１の内側に配置されるので、ファイバーケーブル２５と挿入部分２１が別々の場合に比べ、喉へ挿入する部分は、ひとつであり、よって操作が楽である。また、吸引をおこなう挿入部分２１以外にファイバーケーブル２５も別に喉に挿入しなければならない場合に比べ、喉を詰まらせた子供の負担が少ない。
【００１６】
「他の実施形態」
以上の実施形態では、前記観察手段は、ファイバースコープの画像を直接に観察するための接眼レンズが設けられたゴーグル３５であったが、他の実施形態では、ファイバースコープの画像を液晶画面に映し出すモニターであってもよい。
【００１７】
以上の実施形態では、ファイバースコープのファイバーケーブル２５は、筒状の挿入部分２１の内側に配置されるものであったが、他の実施形態では、挿入部分２１の外側に一体的に配置しても良い。 
以上の実施形態では、照明手段は、挿入部分２１の先端で自ら発光するＬＥＤであったが、他の実施形態では、例えば、操作ボックス３１に内蔵された光源からの光を別のファイバーケーブルによって、挿入部分２１の先端に導き照明をおこなうものであっても良い。  
【図面の簡単な説明】
【００１８】
【図１】この考案の一実施形態に係る電気掃除機用吸引救命アダプターを、家庭用の電気掃除機に接合して使用する状態の全体図である。
【図２】図１の電気掃除機用吸引救命アダプターを示す拡大図である。
【符号の説明】
【００１９】
１…電気掃除機、３…アダプター、５…接合部、７…柄、９…継ぎ手部分、１１…本体、１３…ホース、１５…ヘッド、１７…アダプターのホース、１９…アダプター本体、２１…挿入部分、２３…ファイバースコープの先端部、２５…ファイバーケーブル、２７…電源線、２９…手元スイッチ、３１…操作ボックス、３３…スイッチ、３５…ゴーグル。
【図１】
0003143719.tif 000003
【図２】
0003143719.tif 000004